【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
プロセス制御システムの検査を管理する方法であって、前記方法が、
プロセス制御ルーチンから検査アプリケーションを発生させるステップであって、前記検査アプリケーションが、時間間隔内に実施されるべき少なくとも１つの検査を含むステップと、
前記プロセス制御ルーチンのオペレーションを監視するステップと、
前記時間間隔中の前記プロセス制御ルーチンの前記オペレーションが、前記少なくとも１つの検査と実質的に同様である前記プロセス制御ルーチンの一部分の実行を含むかどうかを判定するステップと、
前記少なくとも１つの検査が前記時間間隔内に実行されたことを示すことによって、前記検査アプリケーションを更新するステップと、を含む方法。
【請求項２】
前記プロセス制御ルーチンから前記検査アプリケーションを発生させるステップが、
前記プロセス制御ルーチン内の少なくとも１つのパラメータに基づいて、少なくとも１つの検査限度を決定するステップ、
前記プロセス制御ルーチン内の命令の順番に基づいて、前記少なくとも１つの検査のシーケンスに順番を付けるステップ、あるいは
前記プロセス制御ルーチン内の機能のタイプに基づいて、前記少なくとも１つの検査の前記シーケンスに順番を付けるステップ、のうち少なくとも１つを含む、請求項１に記載される方法。
【請求項３】
前記プロセス制御ルーチンの前記一部分の前記実行が、前記少なくとも１つの検査と関連付けられる問題の適切な軽減を含むかどうかを判定するステップと、
前記プロセス制御ルーチンの前記一部分の前記実行が、前記適切な軽減を含むかどうか判定するステップの後に、前記少なくとも１つの検査が、第２の時間間隔内に実行されるべきことを示すステップであって、前記第２の時間間隔が前記第１の時間間隔の後に起こるステップと、をさらに含む請求項１又は２に記載される方法。
【請求項４】
前記適切な軽減が、前記プロセス制御システム内の前記問題を訂正するために、特定されたプロセス制御応答を含む、請求項３に記載される方法。
【請求項５】
前記適切な軽減を判定するステップの後に、前記少なくとも１つの検査にタイムスタンプを与えるステップと、
前記適切な軽減、前記少なくとも１つの検査の前記タイムスタンプまたは前記少なくとも１つの検査のうち少なくとも１つを、検査記録に保存するステップと、をさらに含む請求項３又は４に記載される方法。
【請求項６】
前記プロセス制御ルーチンの修正を受信するステップと、
前記修正に基づいて、前記検査アプリケーションを修正するステップと、
前記修正された検査アプリケーションを、前記検査アプリケーションの別のバージョンとして保存するステップと、をさらに含む請求項１〜５の何れか１項に記載される方法。
【請求項７】
前記少なくとも１つの検査を含む前記検査アプリケーションから検査計画を発生させるステップと、
前記検査計画内に含まれる前記少なくとも１つの検査を実行するように、オペレータにプロンプトするステップと、
前記検査計画と関連付けられるデータまたは前記検査アプリケーションと関連付けられるデータのうち少なくとも１つを受信するステップと、
前記受信されたデータが、前記少なくとも１つの検査の適切な軽減と対応するかどうかを判定するステップと、
前記検査計画を更新して、前記少なくとも１つの検査が前記時間間隔にわたって検証されることを示すステップと、をさらに含む請求項１〜６の何れか１項に記載される方法。
【請求項８】
前記オペレータに、識別値についてプロンプトするステップと、
前記識別値を受信するステップと、
担当者訓練記録のデータベースにアクセスするステップと、
前記識別値に対応する訓練記録が、前記オペレータが前記検査計画を実行することを許容されていることを示す表示を含むかどうかを判定するステップと、
前記オペレータが、前記検査計画を実行することを許容するステップと、をさらに含む請求項７に記載される方法。
【請求項９】
前記検査計画の結果を前記検査アプリケーションと組み合わせて、前記第１の時間間隔に関する検査記録を生成するステップと、
前記少なくとも１つの検査が完了した時間を用いて、前記検査記録にタイムスタンプを与えるステップと、
前記検査アプリケーションと関連付けられる前記少なくとも１つの検査が、前記時間間隔内に完了したかどうかを判定するステップと、
前記少なくとも１つの検査が、前記時間間隔内に完了しなかったことを示す表示を発生させるステップと、をさらに含む請求項７に記載される方法。
【請求項１０】
プロセス制御システムの検査を管理する装置であって、前記装置が、
プロセス制御ルーチンのオペレーションを監視するルーチンモニタと、
時間間隔中の前記プロセス制御ルーチンの前記オペレーションが、検査アプリケーション内に含まれる少なくとも１つの検査と実質的に同様である前記プロセス制御ルーチンの一部分の実行を含むかどうかを判定する検査アプリケーションコンペアラであって、前記少なくとも１つの検査が、前記時間間隔内に実行されるべきである検査アプリケーションコンペアラと、
前記少なくとも１つの検査が前記時間間隔内に実行されたと判定することに応答して、前記検査アプリケーションを更新する検査アプリケーションモディファイアと、を備える装置。
【請求項１１】
前記プロセス制御ルーチンから前記検査アプリケーションを発生させる検査アプリケーションジェネレータ、をさらに備える請求項１０に記載される装置。
【請求項１２】
前記検査アプリケーションジェネレータが、前記少なくとも１つの検査を含む前記検査アプリケーションから検査計画を発生させる、請求項１１に記載される装置。
【請求項１３】
検査アプリケーションプロセッサであって、
前記検査計画内に含まれる前記少なくとも１つの検査を実行するようにオペレータに
プロンプトし、
前記オペレータに、識別値についてプロンプトし、かつ
前記識別値を受信する検査アプリケーションプロセッサと、
前記検査計画と関連付けられるデータまたは前記検査アプリケーションと関連付けられるデータのうち少なくとも１つを受信する検査実行ベリファイアと、をさらに備える請求項１２に記載される装置。
【請求項１４】
前記検査アプリケーションコンペアラが、前記プロセス制御ルーチンの前記一部分の前記実行が前記少なくとも１つの検査と関連付けられる問題の適切な軽減を含むかどうかを判定する、請求項１０、１２、１３の何れか１項に記載される装置。
【請求項１５】
前記検査アプリケーションモディファイアが、
前記プロセス制御ルーチンへの修正を受信し、
前記修正に基づいて、前記検査アプリケーションを修正し、かつ
前記検査アプリケーションの別のバージョンとして、前記修正された検査アプリケーシ
ョンを保存する、請求項１０、１２〜１４の何れか１項に記載される装置。
【請求項１６】
命令がその上に保存された機械アクセス可能な媒体であって、実行されるときに、機械に、
プロセス制御ルーチンから、時間間隔内で実行されるべき少なくとも１つの検査を含む検査アプリケーションを発生させ、
前記プロセス制御ルーチンのオペレーションを監視させ、
前記時間間隔中の前記プロセス制御ルーチンの前記オペレーションが、前記少なくとも１つの検査と実質的に同様である前記プロセス制御ルーチンの一部分の実行を含むかどうかを判定させ、かつ
前記少なくとも１つの検査が前記時間間隔内に実行されたことを示すことによって、前記検査アプリケーションを更新させる、機械アクセス可能な媒体。
【請求項１７】
前記機械アクセス可能な命令が、実行されるときに、前記機械に、
前記プロセス制御ルーチンの前記一部分の前記実行が、前記少なくとも１つの検査と関連付けられる問題の適切な軽減を含むかどうかを判定させ、かつ
前記プロセス制御ルーチンの前記一部分の前記実行が前記適切な軽減を含むかどうかを判定した後に、前記少なくとも１つの検査が前記第１の時間間隔の後に起こる第２の時間間隔内に実行されることを示させる、請求項１６に記載される機械アクセス可能な媒体。
【請求項１８】
前記機械アクセス可能な命令が、実行されるときに、
前記プロセス制御ルーチン内の少なくとも１つのパラメータに基づいて、少なくとも１つの検査限度を決定すること、
前記プロセス制御ルーチン内の命令の順番に基づいて、前記少なくとも１つの検査のシーケンスに順番を付けること、または
前記プロセス制御ルーチン内の機能のタイプに基づいて、前記少なくとも１つの検査の前記シーケンスに順番を付けることのうち少なくとも１つによって、前記機械に、前記プロセス制御ルーチンから前記検査アプリケーションを発生させる、請求項１６又は１７に記載される機械アクセス可能な媒体。
【請求項１９】
前記機械アクセス可能な命令が、実行されるときに、前記機械に、
前記プロセス制御ルーチンへの修正を受信させ、
前記修正に基づいて、前記検査アプリケーションを修正させ、かつ
前記検査アプリケーションの別のバージョンとして、前記修正された検査アプリケーションを保存させる、請求項１６〜１８の何れか１項に記載される機械アクセス可能な媒体。
【請求項２０】
前記機械アクセス可能な命令が、実行されるときに、前記機械に、
前記少なくとも１つの検査を含む前記検査アプリケーションから、検査計画を発生させ、
前記検査計画内に含まれる前記少なくとも１つの検査を実行するように、オペレータにプロンプトさせ、
前記検査計画に関連付けられるデータまたは前記検査アプリケーションに関連付けられるデータのうち少なくとも１つを受信させ、
前記受信されたデータが前記少なくとも１つの検査の適切な軽減に対応するかどうかを判定させ、かつ
前記検査計画を更新して、前記少なくとも１つの検査が前記時間間隔に関して検証されることを示させる、請求項１６〜１９の何れか１項に記載される機械アクセス可能な媒体。